(57)【要約】【課題】デザイン性を向上させるための操作パネルカバーの装着が容易に行えること。【解決手段】操作パネルカバー１に、垂直方向に伸びる複数の係止爪３と、相対する開閉式操作部２の側面に係止穴７を設け、操作パネルカバー１を開閉式操作部２に前方から押し当てることにより、係止爪３が開閉式操作部２に係合するため、容易に操作パネルカバー１を装着することができる。【選択図】図１
2008304117.tif 000002
【特許請求の範囲】
【請求項１】
前面に開閉式操作部を有する調理器本体を、流し台の上面開口部から挿入し、流し台の前面開口部に前記開閉式操作部を臨ませて設置し、調理器本体側面と流し台の前面開口部との間に生じた空間を覆うサイドカバーと、前記開閉式操作部の前面部を構成する操作パネルと、前記操作パネルの前面および前記サイドカバーの前面を覆う操作パネルカバーとを有し、前記操作パネルカバーは、前記開閉式操作部との係止手段である複数の垂直方向に伸びる係止爪を備えており、前記操作パネル前方から覆うように前記操作パネルに当接することにより、前記複数の係止爪すべてが前記開閉式操作部に係合することを特徴とする組込式加熱調理器。
【請求項２】
開閉式操作部内に複数の発光ダイオードを備え、操作パネル前面には、前記複数の発光ダイオードに対応した個々の位置に導光部を設け、操作パネルカバーには、複数の前記導光部に対応した位置に、前記発光ダイオードの点灯を前記操作パネル前面から認識可能とする複数の光透過部を設け、さらに前記複数の導光部周囲に、前記操作パネルカバー側へ突き出す、周囲への光漏れを防止するための遮光壁を設け、前記操作パネルカバーが前記操作パネルに係合する際、前記遮光壁が嵌まり込む凹部を前記操作パネルカバー裏面の前記光透過部周囲に設けた請求項１に記載の組込式加熱調理器。
【請求項３】
操作パネルカバーとの係合部を開閉式操作部左右側面に設けた請求項１または２に記載の組込式加熱調理器。
【請求項４】
操作パネルカバーとの係合部を操作パネル前面に設けた、請求項１〜３のいずれか１項に記載の組込式加熱調理器。
【発明の詳細な説明】
【技術分野】
【０００１】
本発明は、流し台等に組込まれて使用される、開閉式操作部を有する組込式加熱調理器に関するものである。
【背景技術】
【０００２】
従来、調理器本体を流し台の上面開口部から挿入し、流し台の前面開口部に調理器本体の前部を臨ませるように設置した組込式調理器において、前面開口部は上面開口部よりも幅広いため、調理器本体左右側面と流し台の前面開口部との間に空間が生じる。
【０００３】
そのため、調理器本体設置後に、調理器本体左右側方と流し台前面開口部との空間を、サイドカバーにて覆う必要がある（例えば、特許文献１参照）。
【０００４】
しかしながら、サイドカバーと調理器本体との間に隙間や段差が生じやすく、一体感に欠け、外観が損なわれるという課題があるため、開閉式操作部を有するものにあっては、その操作部前面に、サイドカバーまでを覆う操作パネルカバーを設けることにより前記課題を解決したものがある。
【０００５】
図１２は、従来の操作パネルカバーの略構成図である。操作パネルカバー１には、開閉式操作部２に向かって垂直方向に伸びた係止爪３が設けられている。また、開閉式操作部２の前面部を構成する操作パネル４には、操作パネルカバー１を係止するための上方へ伸びた複数の係止爪５が設けられている。図１３は、操作パネルカバー１と操作パネル４との係止部断面を示している。操作パネルカバー１を操作パネル４に沿って上方から下向きにスライドすることにより、操作パネル４の係止爪５が操作パネルカバー１の係止部６に嵌合し係止される。その動作の際、図１２の操作パネルカバー１の係止爪３も、開閉式操作部２側面を擦りながら下降し、開閉式操作部２側面に設けられた係止穴７に嵌合し係止される。
【０００６】
しかし、かかる先行技術は、記載すべき先行技術文献情報はない。
【特許文献１】特開２００７−８５６０８号公報
【発明の開示】
【発明が解決しようとする課題】
【０００７】
しかしながら、前記従来の構成では、操作パネルに設けられた、操作パネルカバーに係止する上向きの複数の係止爪と、操作パネルカバーから垂直方向に伸びた、操作部側面に係止する係止爪の２方向の係止爪が設けられており、操作パネルカバーを操作パネルに装着する際、係止方向の異なる複数の係止部を同時に係止する必要があるため、装着が困難であり、また、取り外しも同様に困難であるという課題を有していた。
【０００８】
本発明は、前記従来の課題を解決するもので、操作パネルカバーの着脱が容易かつ確実に行える組込式加熱調理器を提供することを目的とする。
【課題を解決するための手段】
【０００９】
前記従来の課題を解決するために、本発明の組込式加熱調理器の操作パネルカバーは、操作部との係止手段である複数の垂直方向に伸びる係止爪を備えており、前記操作パネル前方から覆うように前記操作パネルに当接することにより、前記複数の係止爪すべてが前記開閉式操作部に係合するようにしたものである。
【００１０】
これによって、係合部すべてが同一方向による係止となるため、操作パネルカバーの着脱動作がスムーズかつ容易に行える。
【発明の効果】
【００１１】
本発明の組込式加熱調理器は、操作パネルカバーの着脱を容易かつ確実に行うことができる。
【発明を実施するための最良の形態】
【００１２】
第１の発明は、前面に開閉式操作部を有する調理器本体を、流し台の上面開口部から挿入し、流し台の前面開口部に前記開閉式操作部を臨ませて設置し、調理器本体側面と流し台の前面開口部との間に生じた空間を覆うサイドカバーと、前記開閉式操作部の前面部を構成する操作パネルと、前記操作パネルの前面および前記サイドカバーの前面を覆う操作パネルカバーを有し、前記操作パネルカバーは、操作部との係止手段である複数の垂直方向に伸びる係止爪を備えており、前記操作パネル前方から覆うように前記操作パネルに当接することにより、前記複数の係止爪すべてが前記開閉式操作部に係合するようにしたものであり、係合部すべてが同一方向による係止となるため、操作パネルカバーの着脱動作がスムーズかつ容易に行える。
【００１３】
第２の発明は、特に、第１の発明において、開閉式操作部内に複数の発光ダイオードを備え、操作パネル前面には、前記複数の発光ダイオードに対応した個々の位置に導光部を設け、操作パネルカバーには、複数の前記導光部に対応した位置に、前記発光ダイオードの点灯を前記操作パネル前面から認識可能とする複数の光透過部を設け、さらに前記複数の導光部周囲に、前記操作パネルカバー側へ突き出す、周囲への光漏れを防止するための遮光壁を設け、前記操作パネルカバーが前記操作パネルに係合する際、前記遮光壁が嵌まり込む凹部を前記操作パネルカバー裏面の前記光透過部周囲に設けた構成とすることにより、操作パネルカバー前面に、発光ダイオードの点灯による動作状態表示、例えば、通電中や調理中という表示を複数設ける場合、操作パネルカバーを操作パネルに係合することで、他方の状態表示への光漏れを防止するための遮光を容易に構成することができる。
【００１４】
さらに、操作パネルの遮光壁の操作パネルカバー凹部への嵌まり込みは、操作パネルと操作パネルカバーの位置決めとしても利用できるため、操作パネルカバーと操作パネルのガタつきを抑制することができ、良好な係合状態を得ることができる。
【００１５】
第３の発明は、特に、第１または第２の発明の操作パネルカバーとの係合部を開閉式操作部左右側面に設けたものであり、係合部を目視で確認しながら操作パネルカバーの着脱を行うことができるため、着脱作業がさらに容易かつ確実なものとなる。
【００１６】
第４の発明は、特に、第〜３のいずれか１つの発明の操作パネルカバーとの係合部を操作パネル前面に設けたものであり、操作パネルカバーと操作パネルの当接面が多少不均一であっても、当接面の隙間や浮きの発生を抑えることができ、操作パネルカバーと操作パネルの密着性を高めることができる。
【００１７】
以下、本発明の実施の形態について、図面を参照しながら説明する。なお、この実施の形態によって本発明が限定されるものではない。
【００１８】
（実施の形態１）
図１〜図７は、本発明の第１の実施の形態における組込式加熱調理器を示すものである。
【００１９】
図４に示すように、組込式加熱調理器は、調理器本体８を流し台９の上面開口部２０から挿入し、流し台９の前面開口部２１に開閉式操作部２の操作パネル４や加熱庫扉１０を臨ませて設置される。この状態では、調理器本体８の加熱庫扉１０側側面および開閉式操作部２側側面と流し台９の前面開口部２１との間には、それぞれ空間１１が生じている。
【００２０】
図５に示すように、加熱庫扉１０側の空間１１および開閉式操作部２側の空間１１を埋めるため、加熱庫扉１０側サイドカバー１２および開閉式操作部２側サイドカバー１３をそれぞれ調理器本体８に装着する。
【００２１】
さらに図６、図７に示すように、操作パネルカバー１を開閉式操作部２側サイドカバー１３の一部を覆うようにして操作パネル４に装着するものである。
【００２２】
図３は、本発明の第１の実施の形態における組込式加熱調理器の、開閉式操作部を開いた状態を示すものである。
【００２３】
図１は、本発明の第１の実施の形態における組込式加熱調理器の、操作パネルカバーの略構成を示すものである。操作パネルカバー１からは複数の係止爪３が垂直方向に伸びており、また、開閉式操作部２の左右側面には、係止爪３と嵌合する係止穴７が設けられている。
【００２４】
図２は、本発明の第１の実施の形態における組込式加熱調理器の、操作パネルカバー係合部の略断面を示すものである。
【００２５】
以上のように構成された組込式加熱調理器について、以下その動作、作用を説明する。
【００２６】
まず、開閉式操作部２を開いた状態で、操作パネル４前方から操作パネルカバー１の係止爪３と開閉式操作部２左右側面の係止穴７との位置を合わせる。そして操作パネルカバー１の複数の係止爪３を開閉式操作部２に押し当てると、係止爪３は弾性を有する樹脂で構成されているため、開閉式操作部２左右側面に沿って外側にたわみながら奥側へと移動し、操作パネルカバー１が操作パネル４に当接すると同時に開閉式操作部２の係止穴７に嵌り込む。
【００２７】
以上のように、本実施の形態においては、操作パネルカバー１を開閉式操作部２に前方から押し当てるといった簡単な動作で、かつ係合部を目視で確認しながら作業できるため、容易かつ確実に操作パネルカバー１を装着することができる。また、操作パネルカバー１を外す際も、同様に容易に行うことができる。
【００２８】
（実施の形態２）
図８は、本発明の第２の実施の形態における組込式加熱調理器の、操作パネルカバーの略構成を示す図である。図９（ａ）は、本発明の第２の実施の形態における組込式加熱調理器の、操作パネルカバーの略横断面を示す図であって、図９（ｂ）は、本発明の第２の実施の形態における組込式加熱調理器の、操作パネルカバーの略縦断面を示す図である。
【００２９】
開閉式操作部２内には複数の発光ダイオード２２が設けられ、操作パネル４には発光ダイオード２２に対応した位置に複数の導光部２３が設けられている。導光部２３周囲には凸状の遮光壁２７が形成されている。また、遮光壁２７の内側には、発光ダイオード２２の光を拡散し、明るさを均一化するための光拡散シート２５が接着剤で固定されている。
【００３０】
さらに、操作パネル導光部２３に対応した操作パネルカバー１の複数位置に、発光ダイオード２２の光を透過し操作パネルカバー１前面を発光する光透過部２４が設けられ、光透過部２４以外の部分には、発光ダイオード２２の光が透過しないように印刷や塗装が施されている。
【００３１】
操作パネルカバー１裏面の複数の光透過部２４の個々の周囲には凹部２６が設けられ、操作パネルカバー１を操作パネル４に装着した際、操作パネル４の導光部２３周囲に設けられた遮光壁２７が、操作パネルカバー１裏面の凹部２６に嵌まり込むようにしている。
【００３２】
以上のように、本実施の形態においては、操作パネルカバー１を操作パネル４に装着した際、遮光壁２７により、発光ダイオード２２の光が他の光透過部２４に漏れることはない。
【００３３】
また、操作パネルカバー１と操作パネル４の当接面に隙間が生じていても、遮光壁２７が操作パネルカバー１裏面の凹部２６に嵌まっていれば、発光ダイオード２２の光を遮光することができる。
【００３４】
さらに、操作パネル４の遮光壁２７の操作パネルカバー１凹部２６への嵌まり込みは、操作パネル４と操作パネルカバー１の位置決めとしても利用できるため、操作パネルカバーと操作パネル４のガタつきを抑制することができるので、良好な係合状態を得ることができる。
【００３５】
（実施の形態３）
図１０は、本発明の第３の実施の形態における組込式加熱調理器の、操作パネルカバーの略構成を示す図である。
【００３６】
操作パネルカバー１の係止爪３に加えて、操作パネル４の前面にも係止爪１４が設けられており、係止爪１４に相対する操作パネルカバー１側に係止穴１５が開いている。さらに、操作パネルカバー１の前面には化粧板１６が接着剤等で取り付けられており、操作パネルカバー１の係止穴１５を隠蔽している。
【００３７】
図１１は、操作パネル前面の係合部の略断面を示すものである。操作パネルカバー１の係止穴１５から突出した操作パネル４の係止爪１４は、化粧板１６裏面の凹部１７に収まっている。
【００３８】
以上のように、本実施の形態においては、操作パネルカバー１の中央部が操作パネル４の係止爪１４によって係合されるため、操作パネルカバー１と操作パネル４の当接面が多少不均一であっても、当接面の隙間や浮きの発生を抑えることができ、操作パネルカバー１と操作パネル４の密着性を高めることができる。
【産業上の利用可能性】
【００３９】
以上のように、本発明にかかる組込式加熱調理器は、設置時に生じる調理器本体側面と流し台前面開口部との空間を埋めるためのサイドカバーによって外観が損なわれるという課題に対し、これを解決するための操作パネルカバーの装着が容易に行えるため、開閉式操作部を有するあらゆる熱源の組込式加熱調理器等に適用できる。
【図面の簡単な説明】
【００４０】
【図１】本発明の第１の実施の形態における組込式加熱調理器の、操作パネルカバーの略構成図
【図２】本発明の第１の実施の形態における組込式加熱調理器の、操作パネルカバー係合部の略断面図
【図３】本発明の組込式加熱調理器の、開閉式操作部を開いた状態を示す操作部斜視図
【図４】流し台に組込式加熱調理器を組み込んだ状態を示す斜視図
【図５】流し台に組込式加熱調理器を組み込み、サイドカバーを装着した状態を示す斜視図
【図６】流し台に組込式加熱調理器を組み込み、サイドカバー、操作パネルカバーを装着した状態を示す斜視図
【図７】本発明の組込式加熱調理器の、開閉式操作部を閉じた状態を示す操作部斜視図
【図８】本発明の第２の実施の形態における組込式加熱調理器の、操作パネルカバーの略構成図
【図９】（ａ）本発明の第２の実施の形態における組込式加熱調理器の、操作パネルカバーの略横断面図（ｂ）同組込式加熱調理器の、操作パネルカバーの略縦断面図
【図１０】本発明の第３の実施の形態における組込式加熱調理器の、操作パネルカバーの略構成図
【図１１】本発明の第３の実施の形態における組込式加熱調理器の、操作パネルカバーの略縦断面図
【図１２】従来の操作パネルカバーの略構成図
【図１３】従来の操作パネルカバーと操作パネルとの係止部断面図
【図１４】流し台の斜視図
【符号の説明】
【００４１】
１  操作パネルカバー
２  開閉式操作部
３  係止爪
４  操作パネル
７、１５  係止穴（係合部）
８  調理器本体
９  流し台
１１  空間
１３  サイドカバー
２０  上面開口部
２１  前面開口部
２２  発光ダイオード
２３  導光部
２４  光透過部
２５  拡散シート
２６  凹部
２７  遮光壁
【図１】
2008304117.tif 000003
【図２】
2008304117.tif 000004
【図３】
2008304117.tif 000005
【図４】
2008304117.tif 000006
【図５】
2008304117.tif 000007
【図６】
2008304117.tif 000008
【図７】
2008304117.tif 000009
【図８】
2008304117.tif 000010
【図９】
2008304117.tif 000011
【図１０】
2008304117.tif 000012
【図１１】
2008304117.tif 000013
【図１２】
2008304117.tif 000014
【図１３】
2008304117.tif 000015
【図１４】
2008304117.tif 000016